(57)【要約】      （修正有）【課題】日常高頻度で車いすの乗り降りをする車いす利用者の短下肢を突発的損傷あるいは慢性的な損傷から確実に保護し、車いす利用者の実態に即した短下肢保護カバーを提供する。【解決手段】短下肢全体を覆うことが可能な幅と長さを有し、また短下肢の肌と接する内側には通気性と速乾性の良いプラスチックのメッシュ素材の保護パッドが用いられ、さらにその外側には外力に対して弾力と強度を有するプラスチック板の保護シート１が用いられた二層構造であり、さらにプラスチック板の保護シート１には車いす利用者の短下肢の太さに合わせて長さ調整と脱着が容易となるよう面ファスナーが設けられている。【選択図】図２
0003190863.tif 000002
【実用新案登録請求の範囲】
【請求項１】
短下肢全体を覆うことが可能な幅と長さを有し、また外力に対して弾力と強度を有する熱可塑性プラスチック板の保護シートと、その保護シートにおいて短下肢の肌と接する面には通気性と速乾性の良い熱可塑性プラスチックのメッシュ素材が張り付けられた保護パッドの、二層構造を特徴とする車いす利用者専用の短下肢保護カバー。
【請求項２】
請求項１に記載の保護シートには、使用者の短下肢の太さに合わせてシート長さの調整と脱着が容易になるようマジックテープが装着されていることを特徴とする請求項１に記載の短下肢保護カバー。
【考案の詳細な説明】
【技術分野】
【０００１】  本考案は、人体の短下肢（脛と脹脛）が損傷しないよう保護することを目的としたカバーに関するものである。
【背景技術】
【０００２】  車いす利用者は、日常的にベッドから車いすへ乗り降りする他、排尿や排便さらに入浴時にも車いすからの乗り降りを行っている。その際、車いす利用者の短下肢は、正面（脛）の他、側面及び後部（脹脛）も車いすのフットプレートあるいはフットプレートを支えるフレームに接触するため、突発的損傷あるいは慢性的な損傷を受ける場合がある。
【先行技術文献】
【特許文献】
【０００３】
【特許文献１】実登３１２０６４７号公報
【特許文献２】特開２００２−２３９０５６号公報
【特許文献３】特開２０１３−１８９７３５号公報
【考案の概要】
【考案が解決しようとする課題】
【０００４】  短下肢の保護を目的としたカバーについて、これまでも複数の先行技術文献（特許文献１、２、３参照）があるが、いずれも車いす利用者を対象として考案されたものではない。特許文献１（実用新案登録）は、サッカー用のレガース（すね当て）で、文献２（特許公報）は野球またはソフトボール用レッグガードであり、短下肢の正面すなわち脛を中心とした前面部が保護対象となっている。一方、文献３（特許公報）は一般用で保温が主眼であるため短下肢全体を布等の軟質素材で覆っているもので、従って車いす利用者の短下肢を保護するという観点から判断すると実用的ではない。本考案は、このような課題解決のためになされたもので、すなわち日常高頻度で車いすの乗り降りをする利用者の短下肢を突発的損傷あるいは慢性的な損傷から確実に保護するカバーの提供を目的になされたものである。
【課題を解決するための手段】
【０００５】  以上の課題を解決するため、本考案による短下肢保護カバーは、短下肢全体を覆うことが可能な幅と長さを有し、また短下肢の肌と接する保護パッドには通気性と速乾性の良いプラスチックのメッシュ素材を用い、さらにそのメッシュ素材に張り合わせられた保護シートには外力に対して弾力と強度を有するプラスチック板を用いた二層構造であることを第一の特徴としている。さらに、本考案による短下肢保護カバーでは、使用者の短下肢の太さに合わせてシート長さの調整と脱着が容易になるようマジックテープを用いていることを第二の特徴としている。
【考案の効果】
【０００６】  本考案による短下肢保護カバーを車いす利用者が装着することにより、車いす利用者の短下肢を突発的あるいは慢性的損傷から保護することができる。このことにより、介護者の作業負担を軽減させる効果もある。
【図面の簡単な説明】
【０００７】
【図１】本考案の短下肢保護カバーの展開図である。
【図２】本考案を短下肢へ装着した斜視図である。
【考案を実施するための形態】
【０００８】  本考案品は、柔軟性に富む保護シートと、通気性及び速乾性の良いメッシュ素材の保護パッドで構成されている。保護シートと保護パッドの素材は、汎用プラスチックである熱可塑性樹脂で、保護シートにはポリプロピレンを、一方保護パッドにはポリ塩化ビニルを用いるのが望ましい。また、それぞれの寸法は保護シートで厚さ０．５〜１．５ｍｍ、幅１５０〜２５０ｍｍ、長さ４００〜５００ｍｍが望ましく、保護パッドで厚さ０．５〜３．０ｍｍ、幅と長さは保護シートにおけるそれぞれの寸法以内であればよい。
【０００９】  なお、本考案品を使用する際は、まず保護シートで使用者の短下肢全体を覆い、次に保護シートに装着されたマジックテープで使用者の短下肢に過度の負担がかからない任意の位置で保護シートを固定することが必要である。
【実施例】
【００１０】  ［図１］と［図２］は、本考案品（短下肢保護カバー）の１例であり、それぞれ展開図と本考案品を短下肢へ装着した際の斜視図を示す。この例では、保護シートの素材はポリプロピレンで、寸法を厚さ０．６ｍｍ、幅１９０ｍｍ、長さ４５０ｍｍとした。一方、保護パッドの素材は厚さ１．０ｍｍのメッシュ状ポリ塩化ビニルとし、幅と長さはそれぞれ１７０ｍｍと３００ｍｍとした。
【符号の説明】
【００１１】  １  保護シート
２  保護パッド
３  マジックテープ（表面）
４  マジックテープ（裏面）
【図１】
0003190863.tif 000003
【図２】
0003190863.tif 000004
【手続補正書】
【提出日】平成26年3月13日(2014.3.13)
【手続補正１】
【補正対象書類名】実用新案登録請求の範囲
【補正対象項目名】全文
【補正方法】変更
【補正の内容】
【実用新案登録請求の範囲】
【請求項１】
短下肢全体を覆うことが可能な幅と長さを有し、また外力に対して弾力と強度を有する熱可塑性プラスチック板の保護シートと、その保護シートにおいて短下肢の肌と接する面には通気性と速乾性の良い熱可塑性プラスチックのメッシュ素材が張り付けられた保護パッドの、二層構造を特徴とする車いす利用者専用の短下肢保護カバー。
【請求項２】
前記保護シートには、使用者の短下肢の太さに合わせてシート長さの調整と脱着が容易になるよう面ファスナーが装着されていることを特徴とする請求項１に記載の短下肢保護カバー。
【手続補正２】
【補正対象書類名】明細書
【補正対象項目名】全文
【補正方法】変更
【補正の内容】
【考案の詳細な説明】
【技術分野】
【０００１】  本考案は、人体の短下肢（脛と脹脛）が損傷しないよう保護することを目的としたカバーに関するものである。
【背景技術】
【０００２】  車いす利用者は、日常的にベッドから車いすへ乗り降りする他、排尿や排便さらに入浴時にも車いすからの乗り降りを行っている。その際、車いす利用者の短下肢は、正面（脛）の他、側面及び後部（脹脛）も車いすのフットプレートあるいはフットプレートを支えるフレームに接触するため、突発的損傷あるいは慢性的な損傷を受ける場合がある。
【先行技術文献】
【特許文献】
【０００３】
【特許文献１】実登３１２０６４７号公報
【特許文献２】特開２００２−２３９０５６号公報
【特許文献３】特開２０１３−１８９７３５号公報
【考案の概要】
【考案が解決しようとする課題】
【０００４】  短下肢の保護を目的としたカバーについて、これまでも複数の先行技術文献（特許文献１、２、３参照）があるが、いずれも車いす利用者を対象として考案されたものではない。特許文献１（実用新案登録）は、サッカー用のレガース（すね当て）で、文献２（特許公報）は野球またはソフトボール用レッグガードであり、短下肢の正面すなわち脛を中心とした前面部が保護対象となっている。一方、文献３（特許公報）は一般用で保温が主眼であるため短下肢全体を布等の軟質素材で覆っているもので、従って車いす利用者の短下肢を保護するという観点から判断すると実用的ではない。本考案は、このような課題解決のためになされたもので、すなわち日常高頻度で車いすの乗り降りをする利用者の短下肢を突発的損傷あるいは慢性的な損傷から確実に保護するカバーの提供を目的になされたものである。
【課題を解決するための手段】
【０００５】  以上の課題を解決するため、本考案による短下肢保護カバーは、短下肢全体を覆うことが可能な幅と長さを有し、また短下肢の肌と接する保護パッドには通気性と速乾性の良いプラスチックのメッシュ素材を用い、さらにそのメッシュ素材に張り合わせられた保護シートには外力に対して弾力と強度を有するプラスチック板を用いた二層構造であることを第一の特徴としている。さらに、本考案による短下肢保護カバーでは、使用者の短下肢の太さに合わせてシート長さの調整と脱着が容易になるよう面ファスナーを用いていることを第二の特徴としている。
【考案の効果】
【０００６】  本考案による短下肢保護カバーを車いす利用者が装着することにより、車いす利用者の短下肢を突発的あるいは慢性的損傷から保護することができる。このことにより、介護者の作業負担を軽減させる効果もある。
【図面の簡単な説明】
【０００７】
【図１】本考案の短下肢保護カバーの展開図である。
【図２】本考案を短下肢へ装着した斜視図である。
【考案を実施するための形態】
【０００８】  本考案品は、柔軟性に富む保護シートと、通気性及び速乾性の良いメッシュ素材の保護パッドで構成されている。保護シートと保護パッドの素材は、汎用プラスチックである熱可塑性樹脂で、保護シートにはポリプロピレンを、一方保護パッドにはポリ塩化ビニルを用いるのが望ましい。また、それぞれの寸法は保護シートで厚さ０．５〜１．５ｍｍ、幅１５０〜２５０ｍｍ、長さ４００〜５００ｍｍが望ましく、保護パッドで厚さ０．５〜３．０ｍｍ、幅と長さは保護シートにおけるそれぞれの寸法以内であればよい。
【０００９】  なお、本考案品を使用する際は、まず保護シートで使用者の短下肢全体を覆い、次に保護シートに装着された面ファスナーで使用者の短下肢に過度の負担がかからない任意の位置で保護シートを固定することが必要である。
【実施例】
【００１０】  ［図１］と［図２］は、本考案品（短下肢保護カバー）の１例であり、それぞれ展開図と本考案品を短下肢へ装着した際の斜視図を示す。この例では、保護シートの素材はポリプロピレンで、寸法を厚さ０．６ｍｍ、幅１９０ｍｍ、長さ４５０ｍｍとした。一方、保護パッドの素材は厚さ１．０ｍｍのメッシュ状ポリ塩化ビニルとし、幅と長さはそれぞれ１７０ｍｍと３００ｍｍとした。
【符号の説明】
【００１１】  １  保護シート
２  保護パッド
３  面ファスナー（表面）
４  面ファスナー（裏面）